(57)【要約】【課題】未舗装の悪路を走行中のコーナリングでフートレストが折りたたまれてもフートレストが常に正しく元の位置に戻る泥噛み防止フートレスト及びその泥噛み防止フートレストを備えた自動二輪車を提供する。【解決手段】フートレスト１５は取付けブラケット１６をメインフレーム２に固定されてフートレスト本体１７と共に全体がメインフレーム２の側面に配設される。通常状態ではフートレスト本体１７はメインフレーム２対して略垂直方向に伸びれおり地面に接触するとメインフレーム２側に折りたたまれる。取付けブラケット１６の突起部２７は通常時では全体がフートレスト本体１７の穴部２３に嵌合し、フートレスト本体１７の最大の跳ね上げ状態でも、突起部２７の先端部のみは穴部２３への嵌合を維持する。これで取付けブラケット１６とフートレスト本体１７の当接面２６と２２の間に泥や石が挟まり込むのを防止する。【選択図】      図９
2008062720.tif 000002
【特許請求の範囲】
【請求項１】
メインフレームに配設された取付けブラケットと、該取付けブラケットにヒンジ部を介して支持されたフートレスト本体と、を備えるフートレストであって、
前記フートレスト本体は、前記取付けブラケットに対し、通常状態で当接し、跳ね上げ状態で離隔する第１当接面を有し、
前記取付けブラケットは、通常状態で全体が被嵌合部に嵌合し、前記フートレスト本体の跳ね上げ状態で先端部のみが前記被嵌合部に嵌合する嵌合部を有する、
ことを特徴とする泥噛み防止フートレスト。
【請求項２】
前記被嵌合部は、前記フートレスト本体の前記第１当接面に形成され、
前記取付けブラケットは、通常状態で前記フートレスト本体の前記第１当接面に当接し、前記フートレスト本体の跳ね上げ状態で前記フートレスト本体の前記第１当接面から離隔する第２当接面を有し、
前記嵌合部は、前記第２当接面に形成されている、
ことを特徴とする請求項１記載の泥噛み防止フートレスト。
【請求項３】
前記フートレスト本体に形成された前記被嵌合部と、前記取付けブラケットに形成された前記嵌合部は、前記ヒンジ部の外周に沿って形成されている、
ことを特徴とする請求項１記載の泥噛み防止フートレスト。
【請求項４】
前記フートレスト本体に形成された前記被嵌合部は穴部であり、前記取付けブラケットに形成された前記嵌合部は前記穴部に嵌合して進退する突起部である、
ことを特徴とする請求項１記載の泥噛み防止フートレスト。
【請求項５】
前記フートレスト本体の跳ね上げ状態で嵌合部の先端部のみが前記被嵌合部に嵌合する状態を維持するために、前記フートレスト本体又は前記取付けブラケットに形成されたストッパを更に備える、
ことを特徴とする請求項１記載の泥噛み防止フートレスト。
【請求項６】
前記取付けブラケットの前記第２当接面と、該第２当接面に対する前記フートレスト本体の前記第１当接面は、前記ヒンジ部の回転中心線を通る平面に形成される、
ことを特徴とする請求項２記載の泥噛み防止フートレスト。
【請求項７】
請求項１乃至６に記載の泥噛み防止フートレストを取付けられている、ことを特徴とする自動二輪車。
【発明の詳細な説明】
【技術分野】
【０００１】
本発明は、泥噛み防止フートレスト及びその泥噛み防止フートレストを備えた自動二輪車に関する。
【背景技術】
【０００２】
一般に、自動二輪車は、フレーム中央下部に設けられているピボット軸の近傍に、左右一対のフートレストを備えている。
フートレストは、フレームに配設されている取付けブラケットと、この取付けブラケットにヒンジ部を介して支持されているフートレスト本体とから成っている。フートレスト本体は、自動二輪車の走行中に運転者が足を載せる部分である。
【０００３】
運転者は両手でハンドルを握って、ハンドルを介して上半身を自動二輪車に固定し、両足をフートレスト本体に載せて強く踏みつけ、フートレスト本体を介して下半身を自動二輪車に固定する。これで運転者は全身を自動二輪車と一体化させ、これにより、自動二輪車走行中の全体のバランスをとることができる。
【０００４】
自動二輪車がオンオフ型（整備された一般道路と未整備の道路又は道路の無い地面の両方とも走行できる形式）の自動二輪車である場合、未舗装の悪路を走行することもしばしばある。このとき、深い轍にはまったり、泥濘の悪路をコーナーリングして車体が傾くと、地面側のフートレスト本体が地面に接触する。
【０００５】
そのままであると、フートレストが地面に衝突した衝撃で、自動二輪車が横転したりひっくり返るなどの不具合が発生するが、オンオフ型の自動二輪車のフートレストでは、フートレスト本体が、地面との接触の反動で、斜め後方に折りたたまれるようになっており、これによって、フートレストと地面との衝突を防止している。
【０００６】
しかしながら、フートレスト本体が折りたたまれると、取付けブラケットとフートレスト本体との間で、取付け部に隙間ができる。特に泥濘の悪路を走行しているときは、その取付け部の隙間に泥や小石などの異物が付着する。
【０００７】
取付け部の隙間に泥や小石などの異物が付着するし、フートレスト本体が元の位置に戻ろうとするときに、取付け部の隙間に異物を噛み込んでしまい、フートレスト本体が元の位置に戻らなくなることがしばしばある。これでは、自動二輪車の安定した走行を継続することが出来ない。
【０００８】
このような問題の解決策としては、フートレスト本体に足載せ部とコの字形に形成された取付け部とを一体に形成し、この取付け部を介して、フートレスト本体と取付け部との間に形成される隙間の下方に防泥カバーをフートレスト本体と一体に設けることが特許文献１に開示されている。
【特許文献１】特開平５−７４６２０号公報
【発明の開示】
【発明が解決しようとする課題】
【０００９】
しかしながら、特許文献１のフートレストは、フートレスト本体が通常時に位置するときに、取付けブラケットからフートレスト本体がはみ出してしまう構造であり、深い轍を走行する際などには、フートレスト本体のはみ出している分部が地面と接触してしまう虞が十分にある。
【００１０】
本発明の課題は、上記従来の実情に鑑み、フートレスト本体に地面と接触しやすい泥除け部材を付加することなく、フートレスト本体が地面に接触して折りたたまれたときにフートレスト本体と取付ブラケットとの取付け部にできる間隙に泥や小石の異物を噛み込むことなく、フートレスト本体が元の位置に容易に戻ることができる泥噛み防止フートレスト及びその泥噛み防止フートレストを備えた自動二輪車を提供することである。
【課題を解決するための手段】
【００１１】
先ず、第１の発明の泥噛み防止フートレストは、メインフレームに配設された取付けブラケットと、該取付けブラケットにヒンジ部を介して支持されたフートレスト本体と、を備えるフートレストであって、上記フートレスト本体は、上記取付けブラケットに対し、通常状態で当接し、跳ね上げ状態で離隔する第１当接面を有し、上記取付けブラケットは、通常状態で全体が被嵌合部に嵌合し、上記フートレスト本体の跳ね上げ状態で先端部のみが上記被嵌合部に嵌合する嵌合部を有するように構成される。
【００１２】
この泥噛み防止フートレストにおいて、例えば、上記被嵌合部は、上記フートレスト本体の上記第１当接面に形成され、上記取付けブラケットは、通常状態で上記フートレスト本体の上記第１当接面に当接し、上記フートレスト本体の跳ね上げ状態で上記フートレスト本体の上記第１当接面から離隔する第２当接面を有し、上記嵌合部は、上記第２当接面に形成されているように構成される。
【００１３】
また、この泥噛み防止フートレストにおいて、例えば、上記フートレスト本体に形成された上記被嵌合部と、上記取付けブラケットに形成された上記嵌合部は、上記ヒンジ部の外周に沿って形成されているように構成される。
【００１４】
また、この泥噛み防止フートレストにおいて、例えば、上記フートレスト本体に形成された上記被嵌合部は穴部であり、上記取付けブラケットに形成された上記嵌合部は上記穴部に嵌合して進退する突起部であるように構成される。
【００１５】
また、この泥噛み防止フートレストにおいて、例えば、上記フートレスト本体の跳ね上げ状態で嵌合部の先端部のみが上記被嵌合部に嵌合する状態を維持するために、上記フートレスト本体又は上記取付けブラケットに形成されたストッパを更に備えるように構成される。
【００１６】
そして、例えば、上記取付けブラケットの上記第２当接面と、該第２当接面に対する上記フートレスト本体の上記第１当接面は、上記ヒンジ部の回転中心線を通る平面に形成されるように構成される。
【００１７】
次に、第２の発明の自動二輪車は、上記いずれかの泥噛み防止フートレストを取付けられているように構成される。
【発明の効果】
【００１８】
本発明によれば、フートレスト本体に地面と接触しやすい泥除け部材を付加することがないので、フートレスト本体を地面から保護することができる。
また、フートレスト本体と取付ブラケットの折りたたみ面に常に嵌合している穴部と突起部を設けるので、折りたたまれたときの折りたたみ面の間隙に泥や小石の異物を噛み込むことがなく、これにより、フートレスト本体が元の位置に容易に戻ることができる泥噛み防止フートレストを提供することが可能となる。
【００１９】
また、このようにフートレスト本体が元の位置に容易に戻ることができる泥噛み防止フートレストを備えた自動二輪車を提供することが可能となる。
【発明を実施するための最良の形態】
【００２０】
以下、本発明の実施の形態を図面を参照しながら説明する。
【実施例１】
【００２１】
図１は、第１の実施形態における泥噛み防止フートレストを備えた自動二輪車の構成の概略を示す側面図である。
図１に示すように、本例の自動二輪車１は、メインフレーム２を有し、このメインフレーム２の中央下部にエンジン３が搭載されている。また、上方には燃料タンク４及び座席５が設けられている。
【００２２】
メインフレーム２の前方にはメインフレーム２と一体なヘッドパイプ６が設けられ、ヘッドパイプ６にはステアリング機構７が係合している。このステアリング機構７は、前輪８を回転自在に支持するフロントフォーク９とハンドル１１等から成る。
【００２３】
また、メインフレーム２の中央下部には、ピボット軸１２が揺動自在に懸架されている。このピボット軸１２には、後輪１３を回転自在に支持するリヤアーム１４が揺動自在に支持されている。
【００２４】
そのピボット軸１２の下方で、泥噛み防止フートレスト（以下、単にフートレストという）１５がメインフレーム２に設けられている。尚、図では陰になって見えないが、フートレスト１５は、車体の右側（図の向う側）にも同位置に設けられている。また、フートレスト１５は、取付けブラケット１６とフートレスト本体１７とで構成されている。
【００２５】
図２は、上記の自動二輪車１を前方向から見た図である。尚、図２には図１と同一の構成部分には図１と同一の番号を付与して示している。
図２において、フートレスト１５は、走行中に例えばコーナリングで自動二輪車１が傾けられたとき、フートレスト本体１７が地面と接触すると同時に、ヒンジ軸１８（１８ａ、１８ｂ）を回転軸として斜め上後方に折りたたまれる。
【００２６】
図３は、上記の自動二輪車１の平面図である。尚、図３においても、図１と同一の構成部分には図１と同一の番号を付与して示している。
図３において、取付けブラケット１６は、フートレスト本体１７を支持するヒンジ部の中心軸を、自動二輪車１の斜め下後方に傾けて、図３では陰になって見えないが図１に示したメインフレーム２に取り付けられている。
【００２７】
そして、フートレスト本体１７は、図２及び図３に示すように、通常状態（運転者が足の載せることができる状態）では、運転者が足を載せる上面部１９を、自動二輪車１の側面に対し水平に突出された状態で配置される。
【００２８】
図４は、フートレスト本体１７のみを取り出して示す斜視図である。尚、同図は自動二輪車１の後方から見た右側のフートレスト本体１７を示している。
図５は、図４の範囲Ａの部分を矢印ａ方向に見た図である。
【００２９】
図４及び図５に示すように、フートレスト本体１７の上面部１９は、波状に形成された立設部が外周を取り囲み、更に中央に波状に形成された他の立設部が設けられている。これら波状に形成された立設部は、上面部１９に載せられた運転者の足の滑り止めの役目を有している。
【００３０】
この図４及び図５に示すフートレスト本体１７は、取付部２１の両側面に突出する円柱状のヒンジ軸１８により、図１乃至図３に示したように取付けブラケット１６に支持されてフートレスト１５としてメインフレーム２に取り付けられる。
【００３１】
そのようにメインフレーム２に取り付けられた状態のとき、図４及び図５に示すようにフートレスト本体１７は、取付けブラケット１６に対し、通常状態で当接し、跳ね上げ状態で離隔する第１当接面２２を有している。
【００３２】
この第１当接面２２には、被嵌合部である屈曲した穴部２３が穿設されている。図５に示すように、穴部２３は、フートレスト本体１７の取付部２１における第１当接面２２の周囲部を除いて中央部全体を占めて形成されている。
【００３３】
また、この穴部２３は、ヒンジ部（ヒンジ軸１８）の外周に沿って屈曲して形成されている。更にフートレスト本体１７の取付部２１には、穴部２３が形成されている第１当接面２２に対し、ヒンジ軸１８を挟んで反対側の部分にストッパ２４が突設されている。
【００３４】
図６は、取付けブラケット１６のみを取り出して示す図である。尚、同図は自動二輪車１の後方から見た右側の取付けブラケット１６を示しており、自動二輪車１の斜め下方向から見た図である。
【００３５】
図７は、図６を矢印ｂ方向に見た図である。
図６及び図７に示す取付けブラケット１６は、ヒンジ孔２５（２５ａ、２５ｂ）により、図４及び図５に示すヒンジ軸１８を介して、図１乃至図３に示したように、フートレスト本体１７を支持した状態でフートレスト１５としてメインフレーム２に取り付けられる。尚、ヒンジ孔２５ａには、図５に示す短いほうのヒンジ軸１８ａが嵌合し、ヒンジ孔２５ｂには、図５に示す長いほうのヒンジ軸１８ｂが嵌合する。
【００３６】
そのようにメインフレーム２に取り付けられた状態のとき、図６及び図７に示すように取付けブラケット１６は、フートレスト本体１７の第１当接面２２に当接し、フートレスト本体１７の跳ね上げ状態でフートレスト本体１７の第１当接面２２から離隔する第２当接面２６を有している。
【００３７】
この取付けブラケット１６の第２当接面２６には、嵌合部である突起部２７が形成されている。突起部２７は、ヒンジ部（ヒンジ孔２５）の外周に沿って屈曲するように形成されている。
【００３８】
図８及び図９は上記構成のフートレスト１５の動作状態を示す図である。図８はフートレスト１５の通常状態を示しており、図９はフートレスト１５のフートレスト本体１７の跳ね上げ状態を示している。
【００３９】
取付けブラケット１６の突起部２７は、図８に示すように、通常状態では、全体がフートレスト本体１７の穴部２３に嵌合する。そして、図９に示すように、フートレスト本体１７の跳ね上げ状態では、突起部２７の先端部のみが穴部２３への嵌合を維持するように構成されている。
【００４０】
このように、フートレストの通常状態とフートレスト本体１７の跳ね上げ状態との間で、取付けブラケット１６に形成された突起部２７は、フートレスト本体１７の穴部２３に嵌合して進退する。
【００４１】
そして、図９に示すように、フートレスト本体１７が最大に跳ね上がった状態で、フートレスト本体１７の前述したストッパ２４が取付けブラケット１６の取り付け面に当接する。これにより、突起部２７の先端部のみが穴部２３に嵌合する状態を維持するように構成されている。
【００４２】
このように、フートレスト本体１７が最大に跳ね上がった状態でも、突起部２７の先端部が穴部２３に嵌合する状態を維持する一方で、前述したように穴部２３はフートレスト本体１７の取付部２１における第１当接面２２の周囲部を除いて中央部全体を占めて形成されているので、第１当接面２２とこの第１当接面２２に離接する取付けブラケット１６の第２当接面２６との間には、泥や小石が入り込む隙間が殆ど無い。
【００４３】
また、少々の泥や細かな石が、第１当接面２２の周囲部に対応する部分に付着したとしても、フートレスト本体１７が通常状態の位置に戻るときに移動する周囲部によって容易に除去される。
【００４４】
これにより、フートレスト本体１７が跳ね上げ状態で折りたたまれたときに、フートレスト本体１７と取付ブラケット１６との取付け部にできる間隙に泥や小石の異物を噛み込むことがなく、フートレスト本体１７が通常状態の元の位置に容易に戻ることができる。すなわち泥噛み防止フートレストが実現する。
【００４５】
また、本例の泥噛み防止機構が、フートレスト本体１７の外側に付加する構成ではなく、取付ブラケット１６とフートレスト本体１７との取付部内に構築されているので、フートレスト本体１７が外側にはみ出すことがなく、これにより、フートレスト本体１７を地面との無用な衝突から保護することができる。
【００４６】
尚、上記のストッパ２４は、フートレスト本体１７に形成すると限ることなく、取付けブラケット１６のほうに形成するようにしてもよいことは言うまでも無い。
また、フートレスト本体１７の上面部１９は、自部材の取付部２１及び相手部材の取り付け面に対して捩れた状態で配置されているが、このような取り付け状態に係わり無く、取付けブラケット１６の第２当接面２６と、この第２当接面２６に対するフートレスト本体１７の第１当接面２２は、ヒンジ部（１８、２５）の回転中心線を通る平面に形成されるように構成されている。
【００４７】
これにより、フートレスト本体１７の回転半径を最も小さい半径で移動させることができる。
【実施例２】
【００４８】
図１０(a),(b) は、第２の実施形態における泥噛み防止フートレストの突起部と穴部の構成を示す図である。
同図(a) は、フートレスト本体１７の取付部２１の第１当接面２２に突起部２７を形成した構成を示している。ヒンジ軸１８やストッパ２４等のその他の構成は第１の実施形態の場合と同様である。
【００４９】
また、同図(b) は、取付けブラケット１６の第２当接面２６に穴部２３を形成した構成を示している。ヒンジ孔２５等のその他の構成は第１の実施形態の場合と同様である。
このように、フートレスト本体１７と取付けブラケット１６で、突起部２７と穴部２３を入替えても、作用は第１の実施形態の場合と同様である。
【実施例３】
【００５０】
上述した第１及び第２の実施形態では、発明の主要部である穴部と突起部の動作状態を中心に説明し、実際の取付けブラケットに対するフートレスト本体の組み付け状態、つまりフートレストの組み上がり状態については説明しなかったが、以下にこれらの構成を第３の実施形態として説明する。
【００５１】
図１１(a) は、フートレスト１５がメインフレーム２に取り付けられている状態を示す斜視図であり、同図(b) は、同図(a) のＢ−Ｂ´断面矢視図である。
図１１(a),(b) に示すように、フートレスト１５は、取付けブラケット１６をメインフレーム２に固定されて、フートレスト本体１７と共に全体がメインフレーム２の側面に配設されている。
【００５２】
取付けブラケット１６に支持されるフートレスト本体１７のヒンジ軸１８ａ、１８ｂは端部を、取付けブラケット１６のヒンジ孔２５ａ、２５ｂ（図６、図７参照）に嵌入させている。
【００５３】
そして、長いほうのヒンジ軸１８ｂの端部（図５も参照）には、ワッシャ２８が嵌め込まれ、更にその外方の軸端に、止めピン２９がヒンジ軸１８ｂを直径方向に貫通して差し込まれている。
【００５４】
フートレスト本体１７の取付部２１（図５も参照）と、長いほうのヒンジ軸１８ｂの端部を支持しているヒンジ孔２５ｂ（図７参照）を有する取付けブラケット１６の支持部３１との間には、スプリングフック３２のスプリング部３２−１が、ヒンジ軸１８ｂに外嵌して介装される。
【００５５】
スプリングフック３２の一方のフック部３２−２は、フートレスト本体１７のヒンジ部近傍の根元に内側から巻き込むように係止し、スプリングフック３２の他方のフック部３２−３は、取付けブラケット１６の支持部３１の付け根近傍に係止している。
【００５６】
スプリングフック３２において、図１１(a) に示す、フック部３２−２及び３２−３はスプリング部３２−１の巻き戻し方向に付勢されている。
前述したように、自動二輪車１が深い轍にはまったり、泥濘の悪路をコーナーリングして車体が傾き、フートレスト本体が地面に接触し、跳ね上げ状態で、スプリングフック３２の付勢力に抗しては折りたたまれたとき、図１１(a) に示すフートレスト本体１７のストッパ２４が取付けブラケット１６のストッパ受け部に当接して、図９に示したように、突起部２７の先端部のみが穴部２３への嵌合を維持するように作用する。
【００５７】
自動二輪車１が悪路走行の状態から脱して、フートレスト本体１７と地面との接触が解除されると、フートレスト本体１７は、スプリングフック３２の巻き戻しの付勢力によって、図１１(a),(b) に示すように通常状態に戻る。
【図面の簡単な説明】
【００５８】
【図１】第１の実施形態における泥噛み防止フートレストを備えた自動二輪車の構成の概略を示す側面図である。
【図２】第１の実施形態における自動二輪車を前方向から見た図である。
【図３】第１の実施形態における自動二輪車の平面図である。
【図４】第１の実施形態における自動二輪車のフートレスト本体のみを取り出して示す斜視図である。
【図５】図４の範囲Ａの部分を矢印ａ方向に見た図である。
【図６】第１の実施形態における自動二輪車の取付けブラケットのみを取り出して示す図である。
【図７】図６を矢印ｂ方向に見た図である。
【図８】第１の実施形態における自動二輪車のフートレストの動作状態を示す図（その１）である。
【図９】第１の実施形態における自動二輪車のフートレストの動作状態を示す図（その２）である。
【図１０】(a),(b) は第２の実施形態における泥噛み防止フートレストの突起部と穴部の構成を示す図である。
【図１１】(a) は第３の実施形態おけるフートレストがメインフレームに取り付けられている状態を示す斜視図、(b) は(a) ののＢ−Ｂ´断面矢視図である。
【符号の説明】
【００５９】
１      自動二輪車
２      メインフレーム
３      エンジン
４      燃料タンク
５      座席
６      ヘッドパイプ
７      ステアリング機構
８      前輪
９      フロントフォーク
１１    ハンドル
１２    ピボット軸
１３    後輪
１４    リヤアーム
１５    フートレスト
１６    取付けブラケット
１７    フートレスト本体
１８（１８ａ、１８ｂ）  ヒンジ軸
１９    上面部
２１    取付部
２２    第１当接面
２３    穴部
２４    ストッパ
２５（２５ａ、２５ｂ）  ヒンジ孔
２６    第２当接面
２７    突起部
２８    ワッシャ
２９    止めピン
３１    支持部
３２    スプリングフック
３２−１  スプリング部
３２−２、３２−３  フック部
【図５】
2008062720.tif 000003
【図６】
2008062720.tif 000004
【図７】
2008062720.tif 000005
【図１１】
2008062720.tif 000006
【図１】
2008062720.tif 000007
【図２】
2008062720.tif 000008
【図３】
2008062720.tif 000009
【図４】
2008062720.tif 000010
【図８】
2008062720.tif 000011
【図９】
2008062720.tif 000012
【図１０】
2008062720.tif 000013